(57)【要約】【課題】 キーパッド用ＥＬ素子において、ＥＳＤによる駆動ドライバーの破壊を防止することができるキーパッド用ＥＬ素子を提供する。【解決手段】  本発明によるキーパッド用ＥＬ素子は、透明絶縁基板と、透明絶縁基板の一面の全面に形成された前面電極層と、前面電極層上の一部分に形成された発光層と、前記発光層上に形成された絶縁層と、前記絶縁層上に形成された背面電極層と、前記発光層、絶縁層及び背面電極層を包むように前記絶縁基板の一面に形成された保護層と、前記透明絶縁基板の他面上に形成されたＥＳＤ防止層と、を備える。【選択図】  図６
2005228745.tif 000002
【特許請求の範囲】
【請求項１】
透明絶縁基板と、
該透明絶縁基板の一面の全面に形成された前面電極層と、
該前面電極層上の一部分に形成された発光層と、
該発光層上に形成された絶縁層と、
該絶縁層上に形成された背面電極層と、
該発光層、絶縁層及び背面電極層を包むように該絶縁基板の一面に形成された保護層と、
該透明絶縁基板の他面に形成されたＥＳＤ防止層と、を備えてなることを特徴とするキーパッド用ＥＬ素子。
【請求項２】
前記ＥＳＤ防止層が外部接地に連結されて接地されてなることを特徴とする請求項１に記載のキーパッド用ＥＬ素子。
【請求項３】
前記ＥＳＤ防止層が前記絶縁基板の一面の全面に形成されてなることを特徴とする請求項１又は２記載のキーパッド用ＥＬ素子。
【請求項４】
前記ＥＳＤ防止層が透明な導電性物質により形成されてなることを特徴とする請求項１〜３のいずれか記載のキーパッド用ＥＬ素子。
【請求項５】
前記ＥＳＤ防止層が前記絶縁基板の一面の前記発光層に対応しない一部分に形成されてなることを特徴とする請求項１に記載のキーパッド用ＥＬ素子。
【請求項６】
前記ＥＳＤ防止層が不透明な導電膜又は透明な導電膜からなることを特徴とする請求項５に記載のキーパッド用ＥＬ素子。
【請求項７】
前記キーパッドがキーのクリック感や器具の結合又は外形の形状を形成するためのカッティング面を備え、前記前面電極層が前記カッティング面を通じて露出され、前記ＥＳＤ防止層が前記カッティング面を通じて露出されて外部接地に連結されてなることを特徴とする請求項１〜６のいずれかに記載のキーパッド用ＥＬ素子。
【請求項８】
透明絶縁基板と、
該透明絶縁基板の一面の一部分にＥＬ素子の発光面に対応して形成された前面電極層と、
該前面電極層上に形成された発光層と、
該発光層上に形成された絶縁層と、
該絶縁層上に形成された背面電極層と、
該前面電極層、発光層、絶縁層及び背面電極層を包むように前記絶縁基板の一面に形成された保護層と、を備えてなることを特徴とするキーパッド用ＥＬ素子。
【請求項９】
前記前面電極層がカッティング面に露出されないように絶縁基板の一面の一部分に透明導電性物質により形成されてなることを特徴とする請求項８に記載のキーパッド用ＥＬ素子。
【請求項１０】
透明絶縁基板と、
該透明絶縁基板の一面の一部分ＥＬ素子の発光面に対応して形成された前面電極層と、
該前面電極層上に形成された発光層と、
該発光層上に形成された絶縁層と、
該絶縁層上に形成された背面電極層と、
該前面電極層、発光層、絶縁層及び背面電極層を包むように前記絶縁基板の一面に形成された保護層と、
該透明絶縁基板の他面上に形成されたＥＳＤ防止層と、を備えてなることを特徴とするキーパッド用ＥＬ素子。
【請求項１１】
前記前面電極層がカッティング面に露出されないように絶縁基板の一面に透明導電膜により形成されてなることを特徴とする請求項１０に記載のキーパッド用ＥＬ素子。
【請求項１２】
前記ＥＳＤ防止層が外部接地に連結されて接地されてなることを特徴とする請求項１０又は１１記載のキーパッド用ＥＬ素子。
【請求項１３】
前記ＥＳＤ防止層が前記絶縁基板の一面の全面に形成されてなることを特徴とする請求項１０〜１２のいずれか記載のキーパッド用ＥＬ素子。
【請求項１４】
前記ＥＳＤ防止層が透明な導電性物質により形成されてなることを特徴とする請求項１３に記載のキーパッド用ＥＬ素子。
【請求項１５】
前記ＥＳＤ防止層が前記絶縁基板の一面で前記発光層に対応しない一部分に形成されてなることを特徴とする請求項１０に記載のキーパッド用ＥＬ素子。
【請求項１６】
前記ＥＳＤ防止層が不透明な導電膜又は透明な導電膜からなることを特徴とする請求項１５に記載のキーパッド用ＥＬ素子。
【請求項１７】
前記キーパッドがキーのクリック感や器具の結合又は外形の形状を形成するためのカッティング面を備え、前記ＥＳＤ防止層が前記カッティング面を通じて露出されて外部接地に連結されてなることを特徴とする請求項１０〜１６のいずれか記載のキーパッド用ＥＬ素子。
【発明の詳細な説明】
【技術分野】
【０００１】
本発明は、キーパッド用ＥＬ素子に関し、より詳しくは、ＥＳＤ(Ｅｌｅｃｔｒｏ−Ｓｔａｔｉｃ Ｄｉｓｃｈａｒｇｅ)を防止することができるＥＳＤ防止層を備えたキーパッド用ＥＬ素子に関する。
【背景技術】
【０００２】
図１は、一般的なキーパッドを概略的に示す平面構造図として、キーの配列状態に局限して示した図である。
【０００３】
図１に示したように、一般的なキーパッド１０は、多数のキー１１を備える。通常キーパッドは、キーのクリック感を向上させるために空間部１２を形成するか、器具を結合するためにホール１３を形成するか、図１に示したように、キーパッド用ＥＬ素子の外部をカッティング１４させる。
【０００４】
このようにキーパッド用ＥＬ素子にホールを形成するか、又はキーのクリック感を向上させるために空間部１２を形成するか、又は外形カッティングによりＥＬ素子の前面電極層がカッティング面に露出されると、ＥＳＤに対して脆弱になる。これについて、図１のＡ−Ａ'線に沿って切断した断面構造を参照して説明すれば、次のようである。
【０００５】
図２は、従来のキーパッド用ＥＬ素子の断面図である。
【０００６】
図２に示したように、従来のキーパッド用ＥＬ素子は、透明絶縁基板１００上に前面電極層１１０が形成され、前面電極層１１０の一部分上に発光層１２３が形成され、発光層１２３上に絶縁層１２６が形成され、絶縁層１２６上に背面電極層１２９が形成され、そして、発光層１２３、絶縁層１２６及び背面電極層１２９を包むように保護層１３０が形成されたものである。
【０００７】
前面電極層１１０は、ＩＴＯのような透明導電性物質により透明絶縁基板の背面に形成されて空間部１２の形成によるカッティング面２に露出される。即ち、発光層１２３、絶縁層１２６及び背面電極層１２９は、前面電極層１１０の一部分上に形成されて保護層１３０により囲まれるので、カッティング面２に露出されないが、前面電極層１１０は、保護層１３０が前面電極層１１０上に形成されて保護層１３０により囲まれないのでカッティング面２に露出される。
【０００８】
通常、キーパッド用ＥＬ素子において、ＥＳＤは電子機器と人体又は他の物体との電位差により発生し、それはキーパッド用ＥＬ素子が内蔵した電子機器に伝わる。この際に発生する静電気は、数千から数万ボルトの電圧を有し、器機内部に入って来た静電気により内部の各部品が影響を受けるようになる。このようなＥＳＤは、カッティング面２により露出されたＥＬ素子の前面電極層１１０に流れるようになり、それによって、前面電極層と連結された駆動ドライバーの出力端が破壊される。
【０００９】
従来、キーパッド用ＥＬ素子に流れる静電気を最大限減らすためにＥＬ素子と接触する周辺器具を接地処理して最大限周辺に分散させる方法をとってきた。即ち、キーパッド用ＥＬ素子と上端で接触する前面カバーと下端で接触するドムパッドとを導電性物質により処理し、この導電性物質とグラウンドを接地させる方法である。しかし、この方法では、キーパッド用ＥＬ素子に流れる静電気を充分に遮断することが不可能でありＥＬ素子の駆動ドライバーの機能に異常が発生する問題点がある。
【発明の開示】
【発明が解決しようとする課題】
【００１０】
従って、本発明は上述したような従来技術の問題点を解決するためになされたもので、本発明の目的は、キーパッド用ＥＬ素子において、ＥＳＤによる駆動ドライバーの破壊を防止することができるキーパッド用ＥＬ素子を提供することにある。
【課題を解決するための手段】
【００１１】
前記課題を解決するために、本発明の第１の観点により、透明絶縁基板と、透明絶縁基板の一面の全面に形成された前面電極層と、前面電極層上の一部分に形成された発光層と、前記発光層上に形成された絶縁層と、前記絶縁層上に形成された背面電極層と、前記発光層、絶縁層及び背面電極層を包むように前記絶縁基板の一面に形成された保護層と、前記透明絶縁基板の他面に形成されたＥＳＤ防止層と、を備えてなることを特徴とする、キーパッド用ＥＬ素子を提供する。
【００１２】
好ましくは、前記ＥＳＤ防止層は、外部接地に連結されて接地される。
【００１３】
より好ましくは、前記ＥＳＤ防止層は、前記絶縁基板の一面の全面に透明な導電性物質により形成される。また、前記ＥＳＤ防止層は、前記絶縁基板の一面で前記発光層に対応しない一部分に不透明な導電膜又は透明な導電膜が形成される。
【００１４】
特に好ましくは、前記キーパッドは、キーのクリック感や器具の結合又は外形の形状を形成するためのカッティング面を備え、前記ＥＳＤ防止層は、前記カッティング面を通じて露出されて外部接地に連結される。
【００１５】
前記課題を解決するために、本発明の第２の観点により、透明絶縁基板と、透明絶縁基板の一面の一部分にＥＬ素子の発光面に対応して形成された前面電極層と、前面電極層上に形成された発光層と、前記発光層上に形成された絶縁層と、前記絶縁層上に形成された背面電極層と、前記前面電極層、発光層、絶縁層及び背面電極層を包むように前記絶縁基板の一面に形成された保護層と、を備えてなることを特徴とする、キーパッド用ＥＬ素子を提供する。
【００１６】
前記課題を解決するために、本発明の第３の観点により、透明絶縁基板と、透明絶縁基板の一面の一部分にＥＬ素子の発光面に対応して形成された前面電極層と、前面電極層上に形成された発光層と、前記発光層上に形成された絶縁層と、前記絶縁層上に形成された背面電極層と、前記前面電極層、発光層、絶縁層及び背面電極層を包むように前記絶縁基板の一面に形成された保護層と、前記透明絶縁基板の他面上に形成されたＥＳＤ防止層と、を備えてなることを特徴とする、キーパッド用ＥＬ素子を提供する。
【００１７】
好ましくは、前記ＥＳＤ防止層は、外部接地に連結されて接地される。
【００１８】
より好ましくは、前記ＥＳＤ防止層は、前記絶縁基板の一面の全面に透明な導電性物質により形成される。また、前記ＥＳＤ防止層は、前記絶縁基板の一面で前記発光層に対応しない一部分に不透明な導電膜又は透明な導電膜に形成される。
【００１９】
特に好ましくは、前記キーパッドは、キーのクリック感や器具の結合又は外形の形状を形成するためのカッティング面を備え、前記ＥＳＤ防止層は、前記カッティング面を通じて露出されて外部接地に連結される。
【発明の効果】
【００２０】
本発明によれば、キーパッド用ＥＬ素子の前面電極層がカッティング面に露出されないように前面電極層を形成するか、別のＥＳＤ防止層を形成して接地させることにより、ＥＬ素子に伝達されるＥＳＤからキーパッド用ＥＬ素子の前面電極層と連結された駆動ドライバーの出力端を保護し、電子装置内の部品のＥＳＤによる破壊を防止する效果がある。
【発明を実施するための最良の形態】
【００２１】
以下に添付図面を参照しながら、本発明の好適な実施の形態について詳細に説明する。なお，本明細書及び図面において、実質的に同一の機能構成を有する構成要素については，同一の符号を付することにより重複説明を省略する。
【００２２】
図３は、本発明の第１の実施の形態に係るキーパッド用ＥＬ素子の断面図として、図１のＡ−Ａ'に沿って切断した断面の中でＥＬ素子に限定して示した図である。
【００２３】
図３に示したように、透明絶縁基板２００の一側面、例えば、背面上にＥＬ素子１０ａが形成される。ＥＬ素子１０ａは、前面電極層２１０が透明絶縁基板２００の背面の全面に形成され、前面電極層２１０の一部分上に発光層２２３が形成され、発光層２２３上に絶縁層２２６が形成され、絶縁層２２６上に背面電極層２２９が形成され、そして、発光層２２３、絶縁層２２６及び背面電極層２２９を包むように保護層２３０が前面電極層２１０上に形成されたものである。
【００２４】
また、透明絶縁基板２００の他の面、例えば、前面上にＥＳＤ防止層２０が全面に形成される。ＥＳＤ防止層２０は、発光層２２３から発光する光の放出が減少しないように、透明導電性物質、例えば、ＩＴＯ膜により形成することが好ましい。そして、ＥＳＤ防止層２０は、駆動回路と電子機器内の他の部品を保護するためにキーパッド用ＥＬ素子に伝達されるＥＳＤを外部に流すようにカッティング面３を通じて外部接地(ｇｒｏｕｎｄ)１５に連結する。
【００２５】
従って、本発明の第１の実施の形態では、前面電極層２１０は、ＩＴＯのような透明導電性物質により透明絶縁基板２００の背面の全面に形成されるので、空間部１２の形成によってカッティング面３に露出されても、外部から入って来たＥＳＤがＥＳＤ 防止層２０を通じて外部接地１５により放出されることにより、カッティング面３に露出された前面電極層２１０に影響を及ぶことが防止できるようになる。したがって、キーパッド用ＥＬ素子に伝達されるＥＳＤから駆動回路と電子機器内の他の部品を保護することができる。
【００２６】
図４は、本発明の第２の実施の形態に係るキーパッド用ＥＬ素子の断面図として、図３に示された第１の実施の形態と同一である。但し、第１の実施の形態では、ＥＳＤ防止層２０が透明絶縁基板の前面の全面に形成されるが、第２の実施の形態では、ＥＳＤ防止層４０が透明絶縁基板の前面の一部分にだけ形成される。
【００２７】
図４に示したように、透明絶縁基板３００の一側面、例えば、背面上にＥＬ素子１０ｂが形成される。ＥＬ素子１０ｂは、前面電極層３１０が絶縁基板３００の背面上に全面に形成され、前面電極層３１０の一部分上に発光層３２３が形成され、発光層３２３上に絶縁層３２６が形成され、絶縁層３２６上に背面電極層３２９が形成され、そして、発光層３２３、絶縁層３２６及び背面電極層３２９を包むように保護層３３０が前面電極層３１０上に形成されたものである。
【００２８】
また、透明絶縁基板３００の他の面、例えば、前面上にＥＳＤ防止層４０が部分的に形成される。このＥＳＤ防止層４０は、発光層３２３から発光する光の放出が減少しないように、透明絶縁基板３００の前面の発光領域以外の一部分にだけ局限的に形成することが好ましく、特に、カッティングが行われる部分に形成することが好ましい。この場合、ＥＳＤ防止層４０は、透明導電性物質であるＩＴＯ膜により形成するか銀(Ａｇ)のような不透明導電性物質により形成することが好ましい。そして、ＥＳＤ防止層４０は、駆動回路と電子機器内の他の部品を保護するために、キーパッド用ＥＬ素子に伝達されるＥＳＤを外部に流すように外部接地２５に連結する。
【００２９】
かかる方法を使用してＥＳＤ防止層４０を外部接地２５と接地させることにより、キーパッド用ＥＬ素子に伝達されるＥＳＤを防止することができ、それによって、駆動ドライバーの破壊も防止できる。
【００３０】
図５は、本発明の第３の実施の形態に係るキーパッド用ＥＬ素子の断面図として、図１のＡ−Ａ'に沿って切断した断面の中でＥＬ素子に限定して示した図である。
【００３１】
図５に示したように、透明絶縁基板４００の一側面、例えば、背面上にＥＬ素子が形成される。ＥＬ素子は、透明絶縁基板４００の背面の一部分にＥＬ素子の発光面に対応して前面電極層４１０が形成され、前面電極層４１０上に発光層４２３が形成され、発光層４２３上に絶縁層４２６が形成され、絶縁層４２６上に背面電極層４２９が形成され、そして、前面電極層４１０、発光層４２３、絶縁層４２６及び背面電極層４２９を包むように保護層４３０が透明絶縁基板４００の背面上に形成されたものである。
【００３２】
本発明の第３の実施の形態では、ＥＬ素子に伝達されるＥＳＤから素子を保護するために第１及び第２の実施の形態のように別のＥＳＤ防止層２０、４０を形成することではなく、前面電極層４１０がカッティング面５によって露出されないように、前面電極層４１０を基板の一部分にＥＬ素子の発光面に対応して形成する。したがって、キーパッド用ＥＬ素子に伝達されるＥＳＤが前面電極層４１０に流れることを防止して駆動回路と電子機器内の他の部品を保護することができる。
【００３３】
図６は、本発明の第４の実施の形態に係るキーパッド用ＥＬ素子の断面図として、図１のＡ−Ａ'に沿って切断した断面の中でＥＬ素子に限定して示した図である。
【００３４】
図６に示したように、透明絶縁基板５００の一側面、例えば、背面上にＥＬ素子が形成される。ＥＬ素子は、透明絶縁基板５００の背面の一部分にＥＬ素子の発光面に対応して前面電極層５１０が形成され、前面電極層５１０上に発光層５２３が形成され、発光層５２３上に絶縁層５２６が形成され、絶縁層５２６上に背面電極層５２９が形成され、そして、前面電極層５１０、発光層５２３、絶縁層５２６及び背面電極層５２９を包むように保護層５３０が透明絶縁基板５００の背面上に形成されたものである。
【００３５】
本発明の第４の実施の形態では、ＥＬ素子に伝達されるＥＳＤから素子を保護するために、前面電極層５１０がカッティング面６によって露出されないように、前面電極層５１０を基板の一部分上にＥＬ素子の発光面に対応して形成する。したがって、キーパッド用ＥＬ素子に伝達されるＥＳＤが前面電極層５１０に流れることを防止することができる。
【００３６】
また、第４の実施の形態では、透明絶縁基板５００の他の面、例えば、前面上にＥＳＤ防止層６０を全面的に形成する。ＥＳＤ防止層６０は、発光層５２３から発光する光の放出が減少しないように、透明な導電性物質、例えば、ＩＴＯ膜により形成することが好ましい。そして、ＥＳＤ防止層６０は、駆動回路と電子機器内の他の部品を保護するために、キーパッド用ＥＬ素子に伝達されるＥＳＤを外部に流すようにカッティング面６を通じて外部接地３５に連結する。
【００３７】
従って、第４の実施の形態によれば、ＥＳＤがカッティング面６を通じて前面電極層５１０に流れることが防止されるだけでなく、 ＥＳＤ防止層６０を通じてＥＳＤを外部接地３５に放出させることにより、駆動回路と電子機器内の他の部品を一層安定的に保護することができる。
【００３８】
図７は、本発明の第５の実施の形態に係るキーパッド用ＥＬ素子の断面図として、図６に示された第４の実施の形態と同一である。但し、第４の実施の形態では、ＥＳＤ防止層６０が透明絶縁基板の前面上に全面的に形成されるが、第５の実施の形態では、ＥＳＤ防止層８０が透明絶縁基板の前面の一部分にだけ形成される。
【００３９】
図７に示したように、透明絶縁基板６００の一側面、例えば、背面上にＥＬ素子が形成される。ＥＬ素子は、透明絶縁基板６００の背面の一部分にＥＬ素子の発光面に対応して前面電極層６１０が形成され、前面電極層６１０上に発光層６２３が形成され、発光層６２３上に絶縁層６２６が形成され、絶縁層６２６上に背面電極層６２９が形成され、そして、前面電極層６１０、発光層６２３、絶縁層６２６及び背面電極層６２９を包むように保護層６３０が絶縁基板６００の背面上に形成されたものである。
【００４０】
本発明の第５の実施の形態では、ＥＬ素子に伝達されるＥＳＤから素子を保護するために、前面電極層６１０がカッティング面７によって露出されないように前面電極層６１０を基板の一部分にＥＬ素子の発光面に対応して形成する。したがって、キーパッド用ＥＬ素子に伝達されるＥＳＤが前面電極層６１０に流れることを防止することができる。
【００４１】
また、第５の実施の形態では、透明絶縁基板６００の他の面、例えば、前面上にＥＳＤ防止層８０が部分的に形成される。ＥＳＤ防止層８０は、発光層６２３から発光する光の放出が減少しないように、絶縁基板６００の前面の発光領域の以外の一部分にだけ局限的に形成することが好ましく、カッティングが行われる部分に形成することが好ましい。この場合、ＥＳＤ防止層８０は、透明導電性物質であるＩＴＯ膜又により形成するか銀(Ａｇ)のような不透明導電性物質により形成することが好ましい。そして、ＥＳＤ防止層８０は、駆動回路と電子機器内の他の部品を保護するために、キーパッド用ＥＬ素子に伝達されるＥＳＤを外部に流すように外部接地４５に連結する。
【００４２】
従って、第５の実施の形態によれば、ＥＳＤがカッティング面７を通じて前面電極層６１０に流れることが防止されるだけでなく、ＥＳＤ防止層８０を通じてＥＳＤを外部接地４５に放出させることにより、駆動回路と電子機器内の他の部品を一層安定的に保護することができる。
【００４３】
以上、添付の図面を参照しながら本発明の好適な実施の形態について説明したが、本発明は係る例に限定されない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４４】
本発明のキーパッド用ＥＬ素子は電子材料として有用である。
【図面の簡単な説明】
【００４５】
【図１】一般的なキーパッドを概略的に示す平面図である。
【図２】従来のキーパッド用ＥＬ素子の断面図である。
【図３】本発明の第１の実施の形態に係るキーパッド用ＥＬ素子の断面図である。
【図４】本発明の第２の実施の形態に係るキーパッド用ＥＬ素子の断面図である。
【図５】本発明の第３の実施の形態に係るキーパッド用ＥＬ素子の断面図である。
【図６】本発明の第４の実施の形態に係るキーパッド用ＥＬ素子の断面図である。
【図７】本発明の第５の実施の形態に係るキーパッド用ＥＬ素子の断面図である。
【符号の説明】
【００４６】
１０ａ、１０ｂ  ＥＬ素子
３、４、５、６、７  カッティング面
１５、２５、３５、４５  接地
２０、４０、６０、８０  ＥＳＤ防止層
２００、３００、４００、５００、６００  透明絶縁基板
２１０、３１０、４１０、５１０、６１０  前面電極層
２２３、３２３、４２３、５２３、６２３  発光層
２２６、３２６、４２６、５２６、６２６  絶縁層
２２９、３２９、４２９、５２９、６２９  背面電極層
２３０、３３０、４３０、５３０、６３０  保護層 
【図１】
2005228745.tif 000003
【図２】
2005228745.tif 000004
【図３】
2005228745.tif 000005
【図４】
2005228745.tif 000006
【図５】
2005228745.tif 000007
【図６】
2005228745.tif 000008
【図７】
2005228745.tif 000009